【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
火災警報システム内の他の火災警報器との間で電波を媒体とする無線信号を伝送する火災警報器であって、
火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための無線信号である火災感知信号を送信手段から送信させ、且つ受信手段により他の火災警報器から送信される火災感知信号を受信したときに警報手段に火災警報を報知させる制御手段と、火災警報停止の操作入力を受け付ける操作入力受付手段とを具備し、
前記操作入力受付手段は、操作部を有して、当該操作部が操作されたときに警報停止操作信号を制御手段に出力し、
前記制御手段は、警報停止操作信号を受け取ると警報手段に火災警報の報知を一定時間停止させるとともに他の火災警報器に火災警報の報知を停止させるための無線信号である報知停止信号を送信手段から送信させ、さらに、前記火災警報の報知を停止させる一定時間中の火災感知手段における火災感知の有無を記憶する記憶部を有し、当該記憶部に火災感知情報が記憶されている場合には、警報手段に火災警報を報知させるとともに他の火災警報器に火災感知信号を送信手段から送信させ、且つ前記火災感知信号を受信するまでの間は無線信号を非同期で送受信させるとともに前記火災感知信号を受信してから前記一定時間が経過するまでの間は無線信号を同期信号に同期して送受信させることを特徴とする火災警報器。
【請求項２】
複数の火災警報器を備え、これら複数の火災警報器の間で電波を媒体とする無線信号を伝送する火災警報システムであって、
各火災警報器は、火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための無線信号である火災感知信号を送信手段から送信させ、且つ受信手段により他の火災警報器から送信される火災感知信号を受信したときに警報手段に火災警報を報知させる制御手段と、火災警報停止の操作入力を受け付ける操作入力受付手段とを具備し、
前記操作入力受付手段は、操作部を有して、当該操作部が操作されたときに警報停止操作信号を制御手段に出力し、
前記制御手段は、警報停止操作信号を受け取ると警報手段に火災警報の報知を一定時間停止させるとともに他の火災警報器に火災警報の報知を停止させるための無線信号である報知停止信号を送信手段から送信させ、さらに、前記火災警報の報知を停止させる一定時間中の火災感知手段における火災感知の有無を記憶する記憶部を有し、当該記憶部に火災感知情報が記憶されている場合には、警報手段に火災警報を報知させるとともに他の火災警報器に火災感知信号を送信手段から送信させ、且つ前記火災感知信号を受信するまでの間は無線信号を非同期で送受信させるとともに前記火災感知信号を受信してから前記一定時間が経過するまでの間は無線信号を同期信号に同期して送受信させることを特徴とする火災警報システム。
【請求項３】
何れかの火災警報器から火災感知信号が送信された場合、当該火災感知信号を受信した特定の火災警報器の制御手段が他の全ての火災警報器に対して送信手段より火災感知信号を送信させることを特徴とする請求項２記載の火災警報システム。
【手続補正２】
【補正対象書類名】明細書
【補正対象項目名】０００８
【補正方法】変更
【補正の内容】
【０００８】
請求項１の発明は、上記目的を達成するために、火災警報システム内の他の火災警報器との間で電波を媒体とする無線信号を伝送する火災警報器であって、火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための無線信号である火災感知信号を送信手段から送信させ、且つ受信手段により他の火災警報器から送信される火災感知信号を受信したときに警報手段に火災警報を報知させる制御手段と、火災警報停止の操作入力を受け付ける操作入力受付手段とを具備し、前記操作入力受付手段は、操作部を有して、当該操作部が操作されたときに警報停止操作信号を制御手段に出力し、前記制御手段は、警報停止操作信号を受け取ると警報手段に火災警報の報知を一定時間停止させるとともに他の火災警報器に火災警報の報知を停止させるための無線信号である報知停止信号を送信手段から送信させ、さらに、前記火災警報の報知を停止させる一定時間中の火災感知手段における火災感知の有無を記憶する記憶部を有し、当該記憶部に火災感知情報が記憶されている場合には、警報手段に火災警報を報知させるとともに他の火災警報器に火災感知信号を送信手段から送信させ、且つ前記火災感知信号を受信するまでの間は無線信号を非同期で送受信させるとともに前記火災感知信号を受信してから前記一定時間が経過するまでの間は無線信号を同期信号に同期して送受信させることを特徴とする。
【手続補正３】
【補正対象書類名】明細書
【補正対象項目名】００１０
【補正方法】変更
【補正の内容】
【００１０】
請求項２の発明は、上記目的を達成するために、複数の火災警報器を備え、これら複数の火災警報器の間で電波を媒体とする無線信号を伝送する火災警報システムであって、各火災警報器は、火災を感知する火災感知手段と、火災警報を報知する警報手段と、無線信号を送信する送信手段と、無線信号を受信する受信手段と、火災感知手段で火災を感知したときに警報手段に火災警報を報知させるとともに他の火災警報器に火災警報を報知させるための無線信号である火災感知信号を送信手段から送信させ、且つ受信手段により他の火災警報器から送信される火災感知信号を受信したときに警報手段に火災警報を報知させる制御手段と、火災警報停止の操作入力を受け付ける操作入力受付手段とを具備し、前記操作入力受付手段は、操作部を有して、当該操作部が操作されたときに警報停止操作信号を制御手段に出力し、前記制御手段は、警報停止操作信号を受け取ると警報手段に火災警報の報知を一定時間停止させるとともに他の火災警報器に火災警報の報知を停止させるための無線信号である報知停止信号を送信手段から送信させ、さらに、前記火災警報の報知を停止させる一定時間中の火災感知手段における火災感知の有無を記憶する記憶部を有し、当該記憶部に火災感知情報が記憶されている場合には、警報手段に火災警報を報知させるとともに他の火災警報器に火災感知信号を送信手段から送信させ、且つ前記火災感知信号を受信するまでの間は無線信号を非同期で送受信させるとともに前記火災感知信号を受信してから前記一定時間が経過するまでの間は無線信号を同期信号に同期して送受信させることを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項３の発明は、請求項２の発明において、何れかの火災警報器から火災感知信号が送信された場合、当該火災感知信号を受信した特定の火災警報器の制御手段が他の全ての火災警報器に対して送信手段より火災感知信号を送信させることを特徴とする。
【手続補正６】
【補正対象書類名】明細書
【補正対象項目名】００１４
【補正方法】変更
【補正の内容】
【００１４】
請求項３の発明によれば、特定の火災警報器が火災感知信号を中継することにより、全ての火災警報器で確実に火災感知信号を受信することができる。